(57)【特許請求の範囲】
【請求項１】
ポストにパネル、扉体を取り付けて箱体本体を構成し、箱体本体には、機器を取り付けるためのマウントアングルを設けて成るラックにおける、前記箱体本体に前記パネルを前記箱体本体の内側より固定するための金具の構造であって、前記ラックの外側からは前記パネルが外せない構造とし、前記ラック内部に侵入できないようにセキュリティ性を向上させるため、前記金具は、前記ポスト内部に配置すると共に、枠体と可動体とから構成され、前記枠体を前記ポストに固定し、前記可動体は前記枠体の範囲内で移動可能であり、前記可動体の端部を、前記パネルの前記ポストに当接する折曲部に設けられた差し込み部に差し込むことで、前記パネルを前記箱体本体に固定することを特徴とする金具の構造。
【請求項２】
前記金具の構造であって、前記枠体は、ポスト固定部と可動体ストッパと可動体固定部とを形成し、前記ポスト固定部にはねじ挿通孔を、可動体固定部には長穴形状のねじ穴を形成すると共に、前記可動体は枠体取り付け部と枠体ストッパとを形成し、前記枠体と可動体とを、前記可動体固定部と枠体取り付け部とを対向させて組み付け、前記可動体ストッパと枠体ストッパと範囲内でで前記可動体がスライド移動可能とし、前記ねじ穴とねじ挿通孔にそれぞれねじを挿通し、前記可動体は前記枠体に前記ねじ穴の長穴の範囲内で固定可能であることを特徴とする請求項１に記載の金具の構造。
【発明の詳細な説明】
【技術分野】
【０００１】
本発明は、ポストにパネル、扉体を取り付けて箱体本体を構成し、箱体本体には、機器を取り付けるためのマウントアングルを設けて成るラックにおける、箱体本体にパネルを箱体本体の内側より固定するための金具の構造に関するものである。
【背景技術】
【０００２】
データセンターでは、ひとつのラックを複数段に分割して、それぞれの段を異なる管理者が管理をするという方法がとられる場合がある。このような場合には、段毎に管理者がことなるため、ラックの外側や管理している段から、他の段へ侵入可能であってはいけない。そこで、ラックの側面を施蓋するパネルの取り付け構造として以下のようなものがある。
【０００３】
図５に示すように、ポスト３１の側面内側からローレットねじ３２を取り付け、ラックのサイドパネルをポスト３１に固定する。ローレットねじ３２がラックの内側からしか操作できず、外側から侵入することはできない。また、図６に示すような金具もある。ポスト３３にローレットねじ３４とローレットねじ３４を被覆する金具３５とを取り付け、ローレットねじ３４によりマウントアングル３６をポスト３３に取り付けるのと同時にサイドパネル３７もポスト３３に固定する。こちらも、外側からはローレットねじ３４が操作できず、外側からラック内部に侵入することはできない。
【特許文献１】特開２００２−２８２０５８号公報
【発明の開示】
【発明が解決しようとする課題】
【０００４】
しかしながら図５に示す従来のラックのサイドパネルの固定方法では、機器がラックに実装されている場合には、機器とラック本体との間に手が入れにくいため、セキュリティを保持する装置を取り付ける作業がしづらかった。
【０００５】
また、図６に示すサイドパネルの固定方法では、ポスト３３には機器を取り付けるためのマウントアングル３６が取り付けられるが、マウントアングル３６を取り付けることで、セキュリティを保持する装置３５を取り付けるスペースの確保が難しかった。
【課題を解決するための手段】
【０００６】
そこで本発明は、ラック内の設備の実装状況に影響なく、省スペースに取り付けが可能であるラックのパネルを取り付けるための金具の構造を提供することを目的とし、その構造は、ラックの外側からはパネルが外せない構造とし、ラック内部に侵入できないようにセキュリティ性を向上させるため、金具は、ポスト内部に配置すると共に、枠体と可動体とから構成され、枠体をポストに固定し、可動体は枠体の範囲内で移動可能であり、可動体の端部を、パネルのポストに当接する折曲部に設けられた差し込み部に差し込むことで、パネルを箱体本体に固定することを特徴とする金具の構造。
【０００７】
また、枠体は、ポスト固定部と可動体ストッパと可動体固定部とを形成し、ポスト固定部にはねじ挿通孔を、可動体固定部には長穴形状のねじ穴を形成すると共に、可動体は枠体取り付け部と枠体ストッパとを形成し、枠体と可動体とを、可動体固定部と枠体取り付け部とを対向させて組み付け、可動体ストッパと枠体ストッパと範囲内でで可動体がスライド移動可能とし、ねじ穴とねじ挿通孔にそれぞれねじを挿通し、可動体は枠体にねじ穴の長穴の範囲内で固定可能であることを特徴とする。
【発明の効果】
【０００８】
本発明の金具の構造は、ラックの外側からはパネルが外せない構造とし、ラック内部に侵入できないようにセキュリティ性を向上させるため、金具は、ポスト内部に配置すると共に、枠体と可動体とから構成され、枠体をポストに固定し、可動体は枠体の範囲内で移動可能であり、可動体の端部を、パネルのポストに当接する折曲部に設けられた差し込み部に差し込むことで、パネルを箱体本体に固定するため、金具がマウントアングルよりも前面に取り付けられるため、マウントアングルに実装される機器に影響を及ぼすことなく、使用できる。ポストの内側に金具が取り付けられるため、ラックのスペースを有効に使用でき、金具を取り付けるためにラックがサイズアップすることがなく、省スペースである。
【０００９】
また、枠体は、ポスト固定部と可動体ストッパと可動体固定部とを形成し、ポスト固定部にはねじ挿通孔を、可動体固定部には長穴形状のねじ穴を形成すると共に、可動体は枠体取り付け部と枠体ストッパとを形成し、枠体と可動体とを、可動体固定部と枠体取り付け部とを対向させて組み付け、可動体ストッパと枠体ストッパと範囲内でで可動体がスライド移動可能とし、ねじ穴とねじ挿通孔にそれぞれねじを挿通し、可動体は枠体にねじ穴の長穴の範囲内で固定可能であるため、マウントアングルに実装される機器に影響を及ぼすことなく、使用できる。ポストの内側に金具が取り付けられるため、ラックのスペースを有効に使用でき、金具を取り付けるためにラックがサイズアップすることがなく、省スペースである。
【発明を実施するための最良の形態】
【００１０】
本発明に係る金具の構造を図１〜図４の添付図面に基いて説明する。
【００１１】
四隅にはポスト１を設け、ポスト１間の四面をパネル２や扉体で施蓋してラックを構成する。図１はラックのポスト部分を示す図面である。ラックの箱体本体にはマウントアングル３が設けられ、マウントアングル（図示せず）に機器（図示せず）を固定して、ラックに機器が収納される。本発明は、パネル２をポスト１に固定する金具３の構造に関する。
【００１２】
ポスト１は、強度面や、パネル２や扉体の取り付けを考慮して、略中空に折曲形成されている。本発明に係る金具３は、ポスト１の中空部分Ａに配置して用いる。金具３は、枠体４と可動体５との二つの部品から構成される。枠体４の範囲内において、可動体５はスライド移動可能である。また、ポスト１とパネル２にはそれぞれ対向する位置に差し込み部１ａ，２ａが形成される。枠体４をポスト１に固定し、可動体５をその位置から伸ばす方向に移動させると、差し込み部１ａ，２ａに差し込まれ、その状態で枠体４と可動体５とをねじ止めすることで、パネル２をポスト１に固定する。
【００１３】
本発明に係る金具３の構造では、ラックに収納する機器を取り付ける場所や数が規制されないように、ポスト１の内側に配置される。そして、ラック内部に侵入できないようにセキュリティ性を向上させるため、ラックの外側からはパネル２が外せない構造とし、パネル２は内側からねじ固定する。
【００１４】
本発明の請求項２に係る金具の構造は、枠体４と可動体５の形状に関する。
【００１５】
枠体４は、ポスト固定部４ａと可動体固定部４ｂとを折曲形成し、可動体固定部４ｂの端部に可動体ストッパ４ｃを設ける。ポスト固定部４ａには、ポスト１に枠体４を固定するためのねじ挿通孔４ｄを設けている。可動体固定部４ｂには、長穴形状のねじ穴４ｅを設ける。可動体ストッパ４ｃは、可動体５の動きを規制するために設けられる。
【００１６】
可動体５は、枠体４の可動体固定部４ｂに対向する枠体取り付け部５ａが形成され、枠体取り付け部５ａ端部に枠体ストッパ５ｂを設けている。枠体取り付け部５ａには、枠体４に設けられたねじ穴４ｅと対向する位置にねじ受け穴５ｃが設けられる。
【００１７】
枠体取り付け部５ａと可動体固定部４ｂとを対向させ、可動体５を枠体４に組み付ける。可動体５は、枠体４の範囲内においてスライド移動可能であり、枠体ストッパ５ｂが可動体ストッパ４ｃに当接されるところまでの間の任意の位置で固定することができる。
【００１８】
パネル２には、端部にポスト取り付け部２ａが折曲形成されている。パネル２にはポストに取り付けられる部分に差し込み部２ａが設けられる。パネル２をポスト１に取り付けるとき、金具３の可動体５を伸ばした状態でローレットねじ６をねじ穴４ｅとねじ受け穴５ｃとに挿通し締め付け、可動体５を枠体４に固定する。可動体５の端部をポスト１の差し込み部２ａに差し込んで、枠体４をラックのポスト１の側面内側に取り付けねじ７にて固定する。
【００１９】
パネル２をポスト１に固定するための金具３をポスト１に固定するための取り付けねじ７と、パネル２と金具３を接続するための機構もラック内側に設けることで、外側からの操作ができないようにし、ラック内への侵入を防ぎセキュリティ性能の高いラックを提供する。
【図面の簡単な説明】
【００２０】
【図１】ラックのポスト部分を示すポストを一部切り欠き、金具を露出させた状態を示す説明図である。
【図２】ポストとパネルとを示す説明図である。
【図３】本発明に係る金具の構造を示す説明図である。
【図４】金具の側面を示すラックの一部断面図である。
【図５】従来のパネルの取り付け構造を示す説明図である。
【図６】従来のパネルのセキュリティ構造を示す断面図である。
【符号の説明】
【００２１】
１    ポスト
２    パネル
３    金具
４    枠体
４ａ  ポスト取り付け部
４ｂ  可動体固定部
４ｃ  可動体ストッパ
４ｄ  ねじ挿通孔
４ｅ  ねじ穴
５    可動体
５ａ  枠体取り付け部
５ｂ  枠体ストッパ
５ｃ  ねじ受け穴
６    ローレットねじ
７    取り付けねじ
【図１】
0005366175.tif 000002
【図２】
0005366175.tif 000003
【図３】
0005366175.tif 000004
【図４】
0005366175.tif 000005
【図５】
0005366175.tif 000006
【図６】
0005366175.tif 000007